(57)【特許請求の範囲】
【請求項１】
所定時間が経過する度に測定される複数の運転データ群であって、当該複数の運転データ群のそれぞれの運転データ群が、発電所ユニットに備えられている複数の異なる運転設備の運転状態を示す運転データであってそれぞれの運転状態に応じた単位で管理される複数種類の運転データに応じた運転データ群である、複数の運転データ群を管理する発電所ユニットのデータ管理システムであって、
所定の時間間隔で、前記複数の異なる運転設備から前記複数の運転データ群を収集する運転データ収集手段と、
前記運転データ収集手段が収集した前記運転データ群から、正常運転状態における所定時点での運転データ群に応じた複数種類の運転データをそれぞれ複数種類の基準運転データとして設定する基準設定手段と、
前記複数の運転データ群のうち、任意の運転状態における所定時点での運転データ群を抽出し、当該抽出した運転データ群に応じた複数種類の運転データのそれぞれと、前記複数種類の基準運転データのそれぞれと、の比率を前記複数の運転設備にそれぞれ応じて算出する比率算出手段と、
当該算出された、複数の時点での前記複数の運転設備のそれぞれに応じた比率を表すグラフと、任意の時点での前記複数の運転設備のそれぞれに応じた比率を絶対値の大きい順に並べた表と、を１画面に表示する表示手段と、を備える発電所ユニットのデータ管理システム。
【請求項２】
所定時間が経過する度に測定される複数の運転データ群であって、当該複数の運転データ群のそれぞれの運転データ群が、発電所ユニットに備えられている複数の異なる運転設備の運転状態を示す運転データであってそれぞれ異なる単位で管理される複数種類の運転データに応じた運転データ群である、複数の運転データ群を管理する発電所ユニットのデータ管理方法であって、
コンピュータが実行する、
所定の時間間隔で、前記複数の異なる運転設備から前記複数の運転データ群を収集する運転データ収集ステップと、
前記運転データ収集ステップで収集した前記運転データ群から、正常運転状態における所定時点での運転データ群に応じた複数種類の運転データをそれぞれ複数種類の基準運転データとして設定する基準設定ステップと、
前記複数の運転データ群のうち、任意の運転状態における所定時点での運転データ群を抽出し、当該抽出した運転データ群に応じた複数種類の運転データのそれぞれと、前記複数種類の基準運転データのそれぞれと、の比率を前記複数の運転設備にそれぞれ応じて算出する比率算出ステップと、
当該算出された、複数の時点での前記複数の運転設備のそれぞれに応じた比率を表すグラフと、任意の時点での前記複数の運転設備のそれぞれに応じた比率を絶対値の大きい順に並べた表と、を１画面に表示する表示ステップと、を備える発電所ユニットのデータ管理方法。
【発明の詳細な説明】
【技術分野】
【０００１】
本発明は、発電所ユニットにおける運転データと基準値との比率を使った発電所ユニットのデータ管理システム及び方法に関する。
【背景技術】
【０００２】
従来、発電所の運転データ管理は、運転データの異常の有無を運転員による経験により判断している。運転データの異常を発見するためには、運転員の経験のみに頼っていては、効率性の観点から好ましくない。そこで、コンピュータに運転データを管理させて、異常の有無や異常の度合を評価する技術が特許文献１に開示されている。
【特許文献１】特開２００５−２６７２４１号公報
【発明の開示】
【発明が解決しようとする課題】
【０００３】
ところが、特許文献１に開示された技術では、個々の運転データについて管理するものの、複数の運転設備にそれぞれ応じた複数種類の運転データによって単位が異なるような場合において、単位が異なる複数種類の運転データを一元的に管理することはできないという問題がある。
【０００４】
本発明は、発電所ユニットにおけて、正常運転状態における所定時点での複数種類の運転データをそれぞれ複数種類の基準運転データとして、任意の運転状態における所定時点での複数種類の運転データのそれぞれと、の比率を複数の運転設備にそれぞれ応じて算出することにより、複数種類の運転データのそれぞれの単位とは無関係に、複数種類の運転データを一元的に管理し、経験値の少ない運転員が、運転データの異常の有無や異常の度合を容易に評価できるデータ管理システムを提供することを目的とする。
【課題を解決するための手段】
【０００５】
具体的には、本発明は以下のものを提供する。
【０００６】
（１）本発明に係る発電所ユニットのデータ管理システムは、基準設定手段と、比率算出手段と、表示手段と、を備え、複数の運転データ群を管理する。
当該複数の運転データ群のそれぞれの運転データ群は、発電所ユニットに備えられている複数の運転設備にそれぞれ対応した複数の運転データに応じたものである。
基準設定手段は、正常運転状態における所定時点での複数種類の運転データをそれぞれ複数種類の基準運転データとして設定し、
比率算出手段は、任意の運転状態における所定時点での複数種類の運転データのそれぞれと、複数種類の基準運転データのそれぞれと、の比率を複数の運転設備にそれぞれ応じて算出し、
表示手段は、複数の運転設備のそれぞれに応じた比率を１画面に表示する。
【０００７】
（１）の発明によれば、発電所ユニットにおいて、正常運転状態における所定時点での複数種類の運転データのそれぞれを複数種類の基準運転データとして、任意の運転状態における所定時点での複数種類の運転データのそれぞれと、の比率を複数の運転設備にそれぞれ応じて算出することにより、複数種類の運転データのそれぞれの単位とは無関係に、複数種類の運転データを一元的に管理できる。また、複数の運転設備のそれぞれに応じた比率を１画面に表示することで、複数種類の基準運転データの値のそれぞれからのずれが分かるため、複数種類の運転データのそれぞれの異常の有無や異常の度合の評価が容易になる。
【０００８】
（２）  前記表示手段は、前記算出された比率を、前記複数種類の基準運転データと、前記任意の運転状態における複数種類の運転データと、のそれぞれのずれとして、１画面でグラフ表示する（１）に記載の発電所ユニットのデータ管理システム。
【０００９】
（２）の発明によれば、比率算出手段により算出された、複数の運転設備のそれぞれに応じた比率を、１画面にグラフ表示するので、一元的に発電所ユニット全体の運転管理を行うことができ、当該ユニットの傾向を容易に把握することができる。
【００１０】
（３）  前記表示手段は、前記算出された比率を、前記複数種類の基準運転データと、前記任意の運転状態における複数種類の運転データと、のそれぞれのずれが大きい順に表にして、１画面に表示する（１）又は（２）に記載の発電所ユニットのデータ管理システム。
【００１１】
（３）の発明によれば、比率算出手段により算出された、複数の運転設備のそれぞれに応じた比率を、表にして１画面に表示するので、基準運転データの値とのずれがある運転データを効率的に発見することができ、運転データの異常の有無や異常の度合の評価が容易になる。
【００１２】
（４）本発明に係る発電所ユニットのデータ管理方法は、基準設定ステップと、比率算出ステップと、表示ステップと、を含み、複数の運転データ群を管理する。
当該複数の運転データ群のそれぞれの運転データ群は、発電所ユニットに備えられている複数の運転設備にそれぞれ対応した複数の運転データに応じたものである。
基準設定ステップは、正常運転状態における所定時点での複数種類の運転データをそれぞれ複数種類の基準運転データとして設定し、
比率算出ステップは、任意の運転状態における所定時点での複数種類の運転データのそれぞれと、複数種類の基準運転データのそれぞれと、の比率を複数の運転設備にそれぞれ応じて算出し、
表示ステップは、複数の運転設備のそれぞれに応じた比率を１画面に表示する。
【００１３】
（４）の発明によれば、（１）の発明と同様の効果が期待できる。
【００１４】
（５）  前記表示ステップは、前記算出された比率を、前記複数種類の基準運転データと、前記任意の運転状態における複数種類の運転データと、のそれぞれのずれとして、１画面でグラフ表示する（４）に記載の発電所ユニットのデータ管理システム。
【００１５】
（５）の発明によれば、（２）の発明と同様の効果が期待できる。
【００１６】
（６）  前記表示ステップは、前記算出された比率を、前記複数種類の基準運転データと、前記任意の運転状態における複数種類の運転データと、のそれぞれのずれが大きい順に表にして、１画面に表示する（４）又は（５）に記載の発電所ユニットのデータ管理システム。
【００１７】
（６）の発明によれば、（３）の発明と同様の効果が期待できる。
【発明の効果】
【００１８】
本発明によれば、発電所ユニットにおけて、正常運転状態における所定時点での複数種類の運転データをそれぞれ複数種類の基準運転データとして、任意の運転状態における所定時点での複数種類の運転データのそれぞれと、の比率を複数の運転設備にそれぞれ応じて算出するので、複数種類の運転データのそれぞれの単位とは無関係に、複数種類の運転データを一元的に管理できる。また、複数の運転設備のそれぞれに応じた比率を１画面に表示することで、複数種類の基準運転データの値のそれぞれからのずれが分かるため、経験値の少ない運転員が、複数種類の運転データのそれぞれの異常の有無や異常の度合を容易に評価できる。
【発明を実施するための最良の形態】
【００１９】
以下、本発明の実施形態の一例について、添付した図面を参照しながら、具体的に説明する。
【００２０】
図１は、本発明の一実施形態のデータ管理システム１の全体構成を示す図である。データ管理システム１は、発電所ユニット１０及びデータ管理装置１００で構成されている。さらに、発電所ユニット１０及びデータ管理装置１００は、通信回線を介して接続されている。図１によれば、発電所ユニット１０は、ボイラマスタ制御系２００や燃水比制御系２１０等の複数の制御系等から構成されている。本実施形態における運転データは、これらの制御系により使用されるデータである。
【００２１】
図２は、本発明の一実施形態のデータ管理システム１の構成を示すブロック図である。データ管理システム１は、発電所ユニット１０及びデータ管理装置１００で構成されている。図２によれば、発電所ユニット１０は、ボイラマスタ制御系２００と、燃水比制御系２１０と、タービンマスタ制御系２２０と、給水制御系２３０と、その他制御系とから構成される。更に、データ管理装置１００は、制御部１０１と、基準設定部１１２と、比率算出部１１４と、通信部１０４と、運転データ収集部１２５と、記憶部１０７と、出力部１０２と、入力部１１０と、から構成される。
【００２２】
なお、運転データ収集部１２５は、通信部１０４が行う処理のうち、複数種類の運転データのそれぞれをボイラマスタ制御系２００等の複数の制御系から通信回線を介して受信する処理を行う。また、基準設定部１１２は、制御部１０１が行う処理のうち、複数種類の運転データにそれぞれ応じた複数種類の基準運転データを設定する処理を行い、比率算出部１１４は、制御部１０１が行う処理のうち、複数種類の運転データのそれぞれと、当該複数種類の基準運転データのそれぞれと、の比率を複数の運転設備にそれぞれ応じて算出する処理を行う。
【００２３】
比率算出部１１４は、運転データ収集部１２５がボイラマスタ制御系２００等の複数の制御系からそれぞれ収集した複数種類の運転データと、基準設定部１１２により算出された複数種類の基準運転データと、の比率を算出し、制御部１０１は、複数の運転設備のそれぞれに応じた比率を１画面に出力する。これにより、複数種類の運転データのそれぞれの単位とは無関係に、複数種類の運転データを一元的に管理でき、複数種類の運転データのそれぞれと、複数種類の基準運転データ（基準値）のそれぞれと、からのずれが分かるため、経験値の少ない運転員が、複数種類の運転データのそれぞれについて異常の有無や異常の度合を容易に評価できる。
【００２４】
図３は、データ管理装置１００が行う処理を示すフローチャートである。
【００２５】
ステップＳ１０において、制御部１０１は、複数の運転データ群の収集を行い、処理をステップＳ２０に移す。
【００２６】
詳細に説明すると、制御部１０１は、ボイラマスタ制御系２００と、燃水比制御系２１０と、タービンマスタ制御系２２０と、給水制御系２３０とから、これら複数種類の制御系に応じた複数種類の運転データを、所定の時間間隔（１日間隔）で通信部１０４（運転データ収集部１２５）を介して受信し、記憶部１０７に記憶する。これにより、本発明に係るデータ管理システム１は、１日毎に当該複数種類の運転データである１つの運転データ群を管理することができる。
【００２７】
ステップＳ２０において、制御部１０１（基準設定部１１２）は、基準運転データを設定し、処理をステップＳ３０に移す。
【００２８】
詳細に説明すると、制御部１０１（基準設定部１１２）は、ステップＳ１０において記憶部１０７に記憶された１日毎の複数種類の運転データのうち、正常運転状態の所定時点での複数種類の運転データをそれぞれ複数種類の基準運転データとして設定し、当該複数種類の基準運転データを記憶部１０７に記憶する。例えば、正常運転状態の所定時点（２００５年１月１５日）でのボイラマスタ制御系２００と、燃水比制御系２１０と、タービンマスタ制御系２２０と、給水制御系２３０と、にそれぞれ応じた運転データを基準運転データとして記憶部１０７に記憶する。これにより、本発明に係るデータ管理システム１は、複数種類の制御系のそれぞれに応じた複数種類の基準運転データを管理することができる。
【００２９】
ステップＳ３０において、制御部１０１（比率算出部１１４）は、複数種類の運転データのそれぞれと、複数種類の基準運転データのそれぞれと、の比率を複数の運転設備にそれぞれ応じて算出し、処理をステップＳ４０に移す。
【００３０】
詳細に説明すると、制御部１０１（比率算出部１１４）は、ステップＳ１０において記憶部１０７に記憶された１日毎の複数種類の運転データから、任意の運転状態における所定時点での複数種類の運転データを抽出し、抽出した複数種類の運転データのそれぞれと、ステップＳ２０において記憶部１０７に記憶された複数種類の基準運転データのそれぞれと、の比率を、複数種類の制御系にそれぞれ応じて算出する。これにより、本発明に係るデータ管理システム１は、複数種類の制御系のそれぞれに応じた比率を算出することができる。なお、比率（割合増減率）の算出方法は後述する。
【００３１】
ステップＳ４０において、制御部１０１は、複数の運転設備のそれぞれに応じた比率（割合増減率）のランク付けを行い、処理をステップＳ５０に移す。
【００３２】
詳細に説明すると、制御部１０１は、ステップＳ３０において算出された比率（割合増減率）の絶対値を算出し、算出した絶対値の大きい順に、ランクを付ける。例えば、当該比率の絶対値が一番大きいものが、ランク１となり、以後大きい順にランク２というように、当該比率の絶対値が一番小さいものにランクを付けるまで、ランク付けを行う。
【００３３】
ステップＳ５０において、制御部１０１は、算出された比率（割合増減率）をデータとして表示する処理を行い、処理を終了する。
【００３４】
詳細に説明すると、制御部１０１は、図５において後述する、運転データ別の日別比率のデータテーブルから、複数種類の運転データに応じたデータを抽出し、図６において後述する、複数種類の運転データに応じた比率（割合増減率）のグラフ及び表を出力部１０２を介してデータ監視画面（図示せず）に表示する。これにより、経験値の少ない運転員が当該データ監視画面を見ることで、複数種類の運転データのそれぞれの異常の有無や異常の度合を容易に評価できる。
【００３５】
図４を参照して、運転データの値（比率及び実際の値）の変動値について説明する。
【００３６】
図４は、複数種類の運転データのそれぞれの値（比率及び実際の値）の変動値を示した図である。ここで、運転データとして「燃水比指令」の場合について説明する。燃水比指令の実際の変動値は、−２．４０％〜＋０．９０％である。また、基準の値は＋０．３％となっているが、この基準の値は、ある時点（例えば２００５年１月１５日）における燃水比指令の値としている。更に、グラフ（比率）の変動値は、−９〜＋２となっている。
【００３７】
本実施例において、運転データの比率（割合増減率）は、基準の値（正常運転状態のある時点での運転データの値）からどれだけ乖離しているか（基準の値からの乖離度）を表している。ここで、当該比率（割合増減率）の算出方法は、｛（実際の値）／（基準の値）−１｝で算出される。
【００３８】
次に、運転データの比率（割合増減率）について説明する。例えば、燃水比指令の値が＋０．３％の場合、基準の値＋０．３％と一致しているので、基準の値からの乖離度は０である。この「０」という値は、上述した算出式に各値を代入することで算出される。
また、燃水比指令の値が−２．４０％は、上述の算出式より、−９と算出される。
【００３９】
ここで、図４に示した複数種類の運転データのそれぞれについて説明する。「Ａ−ＳＨガスダンパ開度」とは、発電所に設置されたボイラーの排ガス系統出口に設置されているガスダンパの開いている程度のことをいう。「Ｂ−ＳＨガスダンパ開度」は、Ａ−ＳＨガスダンパ開度とほぼ同様である。相違点としては、ボイラーの排ガス系統の違いである。「燃水比指令」とは、燃水比制御の指令値のことをいい、燃水比制御とは、貫流ボイラーの蒸気温度を決定する要素である給水流量及び燃焼量のうち、燃焼量を変化させる制御のことをいう。「ＥＣＯ出口ガス０２（Ａ）平均」とは、火炉から排出される排煙に含まれる酸素の割合のことをいう。
【００４０】
図５を参照して、運転データ別の日別比率のデータテーブルについて説明する。
【００４１】
図５に示す運転データのうち、例えば、燃水比指令の運転データについては、２００５年１月１５日の比率は「０」、２００５年１月２０日の比率は「１」、２００５年１月２５日の比率は「−１」、２００５年１月３０日の比率は、「−２」となっている。
【００４２】
図６を参照して、割合増減率のグラフ及び表について説明する。
【００４３】
図６に示す割合増減率のグラフは、横軸を日付、縦軸を割合増減率として、複数種類の運転データのそれぞれについて折れ線グラフとして表示したものである。また、複数種類の運転データのそれぞれについて、２００５年１月３０における割合増減率の大きい順に表として表示したものである。ここでは、割合増減率の表と共に、Ａ―ＳＨガスダンパ開度の折れ線グラフ８１、Ｂ―ＳＨガスダンパ開度の折れ線グラフ８２、燃水比指令の折れ線グラフ８３、ＥＣＯ出口ガス０２（Ａ）平均の折れ線グラフ８４、が表示されている。
【００４４】
例えば、燃水比指令の折れ線グラフ８３は、図５に示す比率（割合増減率）の値に基づいて表示される。ここで、図５によれば、燃水比指令については、２００５年１月１５日の比率は「０」、２００５年１月２０日の比率は「１」、２００５年１月２５日の比率は「−１」、２００５年１月３０日の比率は、「−２」である。
【００４５】
図６に戻って、複数種類の運転データのそれぞれについての折れ線グラフ８１〜８４は、基準の値（正常運転状態のある時点での運転データの値）からの乖離度を表している。よって、折れ線グラフが横軸（割合増減率の値が０の線）から離れれば離れるほど、運転データの値が正常運転状態の値から離れていくことを示しているので、運転員は、折れ線グラフ８１〜８４を見ることで、運転データの異常の有無や、異常の度合を評価することができる。
【００４６】
また、割合増減率の表を参照することにより、ある日付における複数種類の運転データのそれぞれの割合増減率の具体的な値が、当該値の絶対値の大きい順に分かるので、運転員は、折れ線グラフと共に当該表を参照することで、運転データの異常の有無や、異常の度合をより容易に評価することができる。
【００４７】
図７〜図１３は、本実施形態における運転データを列挙した図である。
【００４８】
図１４は、図２で説明した本発明の好適な実施形態によるデータ管理装置１００のハードウェア構成の一例を示す図である。データ管理装置１００は、制御部１０１を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、並びにキーボード及びマウス１１００等の入力手段や表示装置１０２２を備える。
【００４９】
Ｉ／Ｏコントローラ１０７０には、テープドライブ１０７２、ハードディスク１０７４、光ディスクドライブ１０７６、半導体メモリ１０７８、等の記憶手段を接続することができる。
【００５０】
ＢＩＯＳ１０６０は、データ管理装置１００の起動時にＣＰＵ１０１０が実行するブートプログラムや、データ管理装置１００のハードウェアに依存するプログラム等を格納する。
【００５１】
記憶部１０７を構成するハードディスク１０７４は、データ管理装置１００がサーバとして機能するための各種プログラム及び本発明の機能を実行するプログラムを記憶しており、更に必要に応じて各種データベースを構成可能である。
【００５２】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。また、同様にテープドライブ１０７２に対応したテープメディア１０７１を主としてバックアップのために使用することもできる。
【００５３】
データ管理装置１００に提供されるプログラムは、ハードディスク１０７４、光ディスク１０７７、又はメモリーカード等の記録媒体に格納されて提供される。このプログラムは、Ｉ／Ｏコントローラ１０７０を介して、記録媒体から読み出され、又は通信Ｉ／Ｆ１０４０を介してダウンロードされることによって、データ管理装置１００にインストールされ実行されてもよい。
【００５４】
前述のプログラムは、内部又は外部の記憶媒体に格納されてもよい。ここで、記憶部１０７を構成する記憶媒体としては、ハードディスク１０７４、光ディスク１０７７、又はメモリーカードの他に、ＭＤ等の光磁気記録媒体、テープ媒体を用いることができる。また、専用通信回線やインターネットに接続されたサーバシステムに設けたハードディスク１０７４又は光ディスクライブラリー等の記憶装置を記録媒体として使用し、通信回線を介してプログラムをデータ管理装置１００に提供してもよい。
【００５５】
ここで、表示装置１０２２は、ユーザにデータの入力を受け付ける画面を表示したり、データ管理装置１００による演算処理結果の画面を表示したりするものであり、ブラウン管表示装置（ＣＲＴ）、液晶表示装置（ＬＣＤ）等のディスプレイ装置を含む。
【００５６】
ここで、入力手段は、ユーザによる入力の受付を行うものであり、キーボード及びマウス１１００等により構成してよい。
【００５７】
また、通信Ｉ／Ｆ１０４０は、データ管理装置１００を専用ネットワーク又は公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【００５８】
以上の例は、データ管理装置１００について主に説明したが、コンピュータに、プログラムをインストールして、そのコンピュータをデータ管理装置１００として動作させることにより上記で説明した機能を実現することもできる。したがって、本発明において一実施形態として説明したデータ管理装置１００により実現される機能は、上述の方法を当該コンピュータにより実行することにより、或いは、上述のプログラムを当該コンピュータに導入して実行することによっても実現可能である。
【００５９】
以上、本発明の実施形態について説明したが、本発明は上述した実施形態に限定されるものではなく、本発明の目的を達成できる範囲での変形、改良等は本発明に含まれるものである。
【００６０】
例えば、図４〜図６に示した運転データは、図示した４つの運転データに限られず、図７〜図１３に列挙された運転データのうち任意の運転データを含むものとしてよい。
【００６１】
また、図６に示した、割合増減率の大きさを示す表は、２００５年１月３０日時点での表であるが、これに限られず、他の時点での割合増減率の表が表示されるようにしてもよいし、どの時点の割合増減率の表を表示させるかを選択できるようにしてもよい。また、複数の時点での割合増減率を表として表示してもよい。
【図面の簡単な説明】
【００６２】
【図１】本発明の一実施形態のデータ管理システムの全体構成を示す図である。
【図２】本発明の実施の形態によるデータ管理システムの構成を示すブロック図である。
【図３】本発明の実施の形態によるデータ管理装置が行う処理を示すフローチャートである。
【図４】本発明の実施の形態による運転データの値（比率及び実際の値）の変動値を示す図である。
【図５】本発明の実施の形態による運転データの日別比率のデータテーブルを示す図である。
【図６】本発明の実施の形態による割合増減率のグラフ及び表を示した図である。
【図７】本発明の実施の形態による運転データを列挙した図である。
【図８】本発明の実施の形態による運転データを列挙した図である。
【図９】本発明の実施の形態による運転データを列挙した図である。
【図１０】本発明の実施の形態による運転データを列挙した図である。
【図１１】本発明の実施の形態による運転データを列挙した図である。
【図１２】本発明の実施の形態による運転データを列挙した図である。
【図１３】本発明の実施の形態による運転データを列挙した図である。
【図１４】本発明の実施の形態によるデータ管理装置のハードウェア構成の一例を示す図である。
【符号の説明】
【００６３】
１  データ管理システム
１０  発電所ユニット
８１  Ａ―ＳＨガスダンパ開度の折れ線グラフ
８２  Ｂ―ＳＨガスダンパ開度の折れ線グラフ
８３  燃水比指令の折れ線グラフ
８４  ＥＣＯ出口ガス０２（Ａ）平均の折れ線グラフ
１００  データ管理装置
１０１  制御部
１０２  出力部
１０４  通信部
１０７  記憶部
１１０  入力部
１１２  基準設定部
１１４  比率算出部
１２５  運転データ収集部
２００  ボイラマスタ制御系
２１０  燃水比制御系
２２０  タービンマスタ制御系
２３０  給水制御系
【図１】
0005339715.tif 000002
【図２】
0005339715.tif 000003
【図３】
0005339715.tif 000004
【図４】
0005339715.tif 000005
【図５】
0005339715.tif 000006
【図６】
0005339715.tif 000007
【図７】
0005339715.tif 000008
【図８】
0005339715.tif 000009
【図９】
0005339715.tif 000010
【図１０】
0005339715.tif 000011
【図１１】
0005339715.tif 000012
【図１２】
0005339715.tif 000013
【図１３】
0005339715.tif 000014
【図１４】
0005339715.tif 000015